(57)【特許請求の範囲】
【請求項１】
複数種の粉粒体材料をそれぞれに貯留する複数の材料供給機から供給させた各粉粒体材料を、予め設定された質量比になるように計量機において計量させ、混合手段によって混合させた材料を成形機に供給する材料配合供給装置であって、
所定の成形終了予定信号を生成する信号生成部と、前記成形機の材料投入口の上部側に設置される貯留部と、前記計量機から前記貯留部の上流側までの材料の待機量を検出する待機量検出手段と、
所定のプログラムに基づいて、前記成形終了予定信号を受信した後の成形終了までに前記成形機において必要とされる材料の必要量を算出し、この必要量から前記待機量を減算し、その残り必要量に応じた残り必要計量回数を算出して、該残り必要計量回数の計量を前記計量機において実行させ、以降の計量動作を停止させる計量回数制御手段とを備えていることを特徴とする材料配合供給装置。
【請求項２】
請求項１において、
前記貯留部には、材料レベルが所定レベルまで低下したことを検出する材料センサーが設けられており、
前記計量回数制御手段は、前記材料センサーの検出レベル以下の材料待機量を算出し、この材料待機量を前記待機量に含ませて、前記残り必要量を算出することを特徴とする材料配合供給装置。
【請求項３】
請求項２において、
前記計量回数制御手段は、前記成形終了予定信号から前記材料センサーの材料要求信号までの間に前記成形機において処理された量を減算して前記必要量を算出することを特徴とする材料配合供給装置。
【請求項４】
請求項１乃至３のいずれか１項において、
前記成形機が射出成形機であり、この射出成形機における１ショット量と、前記成形終了予定信号後の残ショット数とが入力される操作部を更に備えており、
前記計量回数制御手段は、前記操作部から入力された１ショット量と、残ショット数とに基づいて、前記必要量を算出することを特徴とする材料配合供給装置。
【請求項５】
請求項１乃至４のいずれか１項において、
前記成形機において単位時間当たりに処理される材料の処理能力を検出する処理能力検出手段と、
前記成形機に向けて単位時間当たりに供給可能な材料の配合供給能力を検出する配合供給能力検出手段と、
所定のプログラムに基づいて、前記処理能力と前記配合供給能力とを比較し、該配合供給能力が該処理能力よりも過剰であり、かつ所定基準まで減少可能なときには、該配合供給能力を減少させるように更新して配合供給を実行させる配合供給能力制御手段とを更に備えていることを特徴とする材料配合供給装置。
【請求項６】
複数種の粉粒体材料をそれぞれに貯留する複数の材料供給機から供給した各粉粒体材料を、予め設定された質量比になるように計量機において計量し、混合手段によって混合した材料を成形機に供給するようにした材料配合供給方法であって、
前記計量機から前記成形機の材料投入口の上部側に設置された貯留部の上流側までの待機量と、所定の成形終了予定信号の後の成形終了までに前記成形機において必要とされる材料の必要量とを算出し、かつ、前記必要量から前記待機量を減算し、その残り必要量に応じた残り必要計量回数を算出して、該残り必要計量回数の計量を前記計量機において実行させ、以降の計量動作を停止させるようにしたことを特徴とする材料配合供給方法。
【発明の詳細な説明】
【技術分野】
【０００１】
本発明は、複数種の粉粒体材料を、所定の割合で配合して成形機に供給する材料配合供給装置、及び材料配合供給方法に関する。
【背景技術】
【０００２】
従来より、複数種の粉粒体材料を、所定の割合で配合し、その配合済み材料を、成形機に供給するようにした材料配合供給装置としては、複数種の粉粒体材料をそれぞれに貯留する複数の材料供給機から供給させた各粉粒体材料を、予め設定された質量比になるように、ロードセル等のセンサーを設けた単一のバッチ式計量機において計量するようにしたものが知られている。上記計量機で計量された１バッチ量分の材料は、該計量機の下流側の混合ドラム（混合用ケース）等の混合手段で混合されて、成形機等の供給先に供給される構成とされている（例えば、下記特許文献１参照）。
【先行技術文献】
【特許文献】
【０００３】
【特許文献１】特開２００９−２３０９３号公報
【発明の概要】
【発明が解決しようとする課題】
【０００４】
ところで、上記のような材料配合供給装置では、種々の成形機や成形機における種々の稼働態様に適用可能なように、一般的に、成形機において単位時間当たりに処理される材料の処理能力よりも、成形機に供給可能な配合供給装置自体における材料の配合供給能力が予め十分に大きく設定されている。例えば、成形機側からの要求に迅速に対応できるように、計量機において１度に計量する１バッチ量を比較的、大きく設定し、各部（計量機下流側のホッパー等の貯留部）においても、そのバッチ量に応じた量（１バッチ量分乃至は複数バッチ量分など）の貯留がなされる。また、計量機以降の各部（計量機や貯留部）において材料がなくなれば直ぐに計量及び補給し、各部に材料を待機させるようにしていた。
このようなものでは、材料替えや各材料の質量比の変更、成形品の変更（金型の変更）等の製造ロット替えがなされる際や、運転終了時などの成形終了時には、計量機以降の各部において待機、保持されている材料は、既に複数種の材料が配合されているため、再利用が困難であり、廃棄する量が多くなるという問題があった。
【０００５】
本発明は、上記実情に鑑みなされたものであり、成形終了時における配合済みの材料を低減し得る材料配合供給装置、及び材料配合供給方法を提供することを目的としている。
【課題を解決するための手段】
【０００６】
前記目的を達成するために、本発明に係る材料配合供給装置は、複数種の粉粒体材料をそれぞれに貯留する複数の材料供給機から供給させた各粉粒体材料を、予め設定された質量比になるように計量機において計量させ、混合手段によって混合させた材料を成形機に供給する材料配合供給装置であって、所定の成形終了予定信号を生成する信号生成部と、前記成形機の材料投入口の上部側に設置される貯留部と、前記計量機から前記貯留部の上流側までの材料の待機量を検出する待機量検出手段と、所定のプログラムに基づいて、前記成形終了予定信号を受信した後の成形終了までに前記成形機において必要とされる材料の必要量を算出し、この必要量から前記待機量を減算し、その残り必要量に応じた残り必要計量回数を算出して、該残り必要計量回数の計量を前記計量機において実行させ、以降の計量動作を停止させる計量回数制御手段とを備えていることを特徴とする。
【０００７】
ここに、上記粉粒体材料は、粉体・粒体状の材料を指すが、微小薄片状や短繊維片状、スライバー状の材料等を含む。
また、上記材料としては、樹脂ペレットや樹脂繊維片等の合成樹脂材料、或いは金属材料や半導体材料、木質材料、薬品材料、食品材料等どのようなものでもよい。
【０００８】
本発明に係る前記材料配合供給装置においては、前記貯留部に、材料レベルが所定レベルまで低下したことを検出する材料センサーを設け、前記計量回数制御手段が前記材料センサーの検出レベル以下の材料待機量を算出し、この材料待機量を前記待機量に含ませて、前記残り必要量を算出するようにしてもよい。
この材料配合供給装置においては、前記計量回数制御手段が、前記成形終了予定信号から前記材料センサーの材料要求信号までの間に前記成形機において処理された量を減算して前記必要量を算出するようにしてもよい。
【０００９】
本発明に係る前記いずれかの材料配合供給装置においては、供給先の成形機が射出成形機である場合、この射出成形機における１ショット量と、前記成形終了予定信号後の残ショット数とが入力される操作部を更に備えたものとしてもよい。この場合、前記計量回数制御手段が前記操作部から入力された１ショット量と、残ショット数とに基づいて、前記必要量を算出するようにすればよい。
【００１０】
本発明に係る前記いずれかの材料配合供給装置においては、前記成形機において単位時間当たりに処理される材料の処理能力を検出する処理能力検出手段と、前記成形機に向けて単位時間当たりに供給可能な材料の配合供給能力を検出する配合供給能力検出手段と、所定のプログラムに基づいて、前記処理能力と前記配合供給能力とを比較し、該配合供給能力が該処理能力よりも過剰であり、かつ所定基準まで減少可能なときには、該配合供給能力を減少させるように更新して配合供給を実行させる配合供給能力制御手段とを更に備えた構成としてもよい。
このものでは、前記配合供給能力制御手段が前記計量機において計量する１バッチ目標量を減少させることで、前記配合供給能力を減少させるようにしてもよい。また、この１バッチ目標量の減少は、前記１バッチ目標量を減少させる前に、前記計量機において１バッチの計量に要した時間と、その１バッチの目標量とに基づいて該計量機における単位時間当たりに計量可能な材料の計量能力を算出して、この計量能力と前記処理能力とに基づいて、前記１バッチ目標量を減少させるようにしてもよい。
【００１１】
また、前記計量機の下流側からの材料要求信号が出力されるまでに、前記計量機に材料を待機させておく第１待機モードと、前記信号が出力されるまでは、該計量機に材料を待機させずに、該信号が出力された後に、計量を開始させる第２待機モードとの実行が可能とされたものとしてもよい。この場合は、前記配合供給能力制御手段が前記第１待機モードを前記第２待機モードに変更することで、前記配合供給能力を減少させるようにしてもよい。
【００１２】
また、前記目的を達成するために、本発明に係る材料配合供給方法は、複数種の粉粒体材料をそれぞれに貯留する複数の材料供給機から供給した各粉粒体材料を、予め設定された質量比になるように計量機において計量し、混合手段によって混合した材料を成形機に供給するようにした材料配合供給方法であって、前記計量機から前記成形機の材料投入口の上部側に設置された貯留部の上流側までの待機量と、所定の成形終了予定信号の後の成形終了までに前記成形機において必要とされる材料の必要量とを算出し、かつ、前記必要量から前記待機量を減算し、その残り必要量に応じた残り必要計量回数を算出して、該残り必要計量回数の計量を前記計量機において実行させ、以降の計量動作を停止させるようにしたことを特徴とする。
【発明の効果】
【００１３】
本発明に係る前記材料配合供給装置では、前記必要量から前記待機量を減算し、その残り必要量に応じた残り必要計量回数を算出して、該残り必要計量回数の計量を前記計量機において実行させ、以降の計量動作を停止させるようにしているので、成形終了予定信号が出力された後、必要量に応じた適切な回数で計量動作を停止させることができる。従って、成形終了時には、当該材料配合供給装置における前記計量機から前記貯留部の上流側までに待機、保持される配合済み材料に概ね相当する残材を減少させることができ、材料の無駄を低減でき、かつ廃棄量を減少させることができる。
【００１４】
本発明に係る前記材料配合供給装置において、前記貯留部に、材料レベルが所定レベルまで低下したことを検出する材料センサーを設け、前記計量回数制御手段が前記材料センサーの検出レベル以下の材料待機量を算出し、この材料待機量を前記待機量に含ませて、前記残り必要量を算出するようにすれば、この貯留部の検出レベル以下の材料待機量に概ね相当する残材を更に減少させることができる。
【００１５】
また、上記構成とした材料配合供給装置において、前記計量回数制御手段が、前記成形終了予定信号から前記材料センサーの材料要求信号までの間に前記成形機において処理された量を減算して前記必要量を算出するようにすれば、以下の効果を奏する。
すなわち、成形終了予定信号から材料センサーの材料要求信号までの間に成形機において処理された量は、成形終了予定信号が出力された時点における、貯留部の材料センサーの検出レベル上部の材料に相当し、この材料分を減算して前記必要量を算出することで、この材料に概ね相当する残材を更に減少させることができる。
換言すれば、このものでは、前記計量回数制御手段は、前記成形終了予定信号から前記材料センサーの材料要求信号までの間に前記成形機において処理された量（成形終了予定信号が出力された時点における、貯留部の材料センサーの検出レベル上部の材料）を、更に前記待機量に含ませて、前記残り必要量を算出するようにしている。
【００１６】
本発明に係る前記いずれかの材料配合供給装置において、供給先の成形機を射出成形機とし、この射出成形機における１ショット量と、前記成形終了予定信号後の残ショット数とが入力される操作部を更に備えたものとし、前記計量回数制御手段が前記操作部から入力された１ショット量と、残ショット数とに基づいて、前記必要量を算出するようにすれば、以下の効果を奏する。
すなわち、１ショット量及び残ショット数を入力する操作部を備えているので、成形品から直接的に得られた１ショット量を入力でき、正確な必要量を算出させることができる。また、残ショット数を、残り成形量に応じて、ユーザー側の判断で入力することもできる。
【００１７】
本発明に係る前記いずれかの材料配合供給装置において、前記処理能力検出手段と、前記配合供給能力検出手段と、前記配合供給能力制御手段とを更に備えた構成とすれば、以下の効果を奏する。
すなわち、成形機の処理能力に応じて、当該材料配合供給装置の配合供給能力を減少させておくことで、当該材料配合供給装置の各部において待機、保持される配合済みの材料を減少させることができる。従って、成形機が緊急停止された場合や、例えば、成形終了予定信号をユーザーの操作により入力させるような場合において操作忘れや操作間違い等があった場合にも、残材を減少させることができる。
【００１８】
また、本発明に係る前記材料配合供給方法によれば、上記本発明に係る材料配合供給装置が奏する効果と同様、成形終了時に、前記計量機から前記貯留部までに待機、保持される配合済み材料（残材）を減少させることができ、材料の無駄を低減でき、かつ廃棄量を減少させることができる。
【図面の簡単な説明】
【００１９】
【図１】本発明に係る材料配合供給装置の一実施形態を備えたシステム構成の一例を模式的に示す概略構成図である。
【図２】同材料配合供給装置の制御ブロック図である。
【図３】同材料配合供給装置で実行される基本動作の一例を説明するための概略タイムチャートである。
【図４】（ａ）は、同材料配合供給装置で実行される成形機の処理能力検出機能の基本動作の一例を示す概略フローチャート、（ｂ）は、同材料配合供給装置で実行される計量機の計量能力検出機能の基本動作の一例を示す概略フローチャートである。
【図５】（ａ）は、同材料配合供給装置で実行される配合供給能力変更機能の基本動作の一例を示す概略フローチャート、（ｂ）は、同例を説明するための説明図である。
【図６】（ａ）、（ｂ）は、同材料配合供給装置で実行される計量回数制御機能の基本動作の一例を説明するための概略フローチャートである。
【図７】（ａ）、（ｂ）は、同材料配合供給装置で実行される計量回数制御機能の基本動作の他例を説明するための概略フローチャートである。
【図８】同材料配合供給装置で実行される計量回数制御機能の基本動作の更に他例を説明するための概略フローチャートである。
【図９】同材料配合供給装置で実行される配合供給能力変更機能の基本動作の他例を示す概略フローチャートである。
【図１０】（ａ）、（ｂ）は、同材料配合供給装置で実行される配合供給能力変更機能の基本動作の更に他例を説明するための概略フローチャートである。
【図１１】同例における第２待機モードの動作例を説明するための概略タイムチャートである。
【図１２】同例における第３待機モードの動作例を説明するための概略タイムチャートである。
【図１３】（ａ）、（ｂ）は、いずれも同材料配合供給装置の変形例を備えたシステム構成の一例を模式的に示す概略構成図である。
【図１４】同材料配合供給装置の他の変形例を備えたシステム構成の一例を模式的に示す概略構成図である。
【発明を実施するための形態】
【００２０】
以下に、本発明の実施の形態について、図面を参照しながら説明する。
図１〜図１４は、本実施形態に係る粉粒体材料の配合供給装置、その動作例及び変形動作例、並びに変形例を説明するための説明図である。
尚、図１、図１３及び図１４においては、ガス（輸送空気）や粉粒体材料を流通させる管路（ガス管路、粉粒体材料輸送管路など）を、実線にて模式的に示している。
また、図１３及び図１４では、詳細な符号の一部を省略している。
【００２１】
図例の粉粒体材料の配合供給装置１は、図１に示すように、配合前の粉粒体材料を下流側に向けて供給する材料供給部１０と、この材料供給部１０から供給された各粉粒体材料を、予め設定された質量比（重量比）となるように計量する単一の計量機２０と、この計量機２０において計量された粉粒体材料を混合する混合手段としての混合ドラム３０と、この混合ドラム３０において混合された粉粒体材料を一時的に貯留する一時貯留ホッパー４０と、この一時貯留ホッパー４０から輸送された配合済みの粉粒体材料を貯留するチャージホッパー５０と、制御盤６０とを備えている。このチャージホッパー５０の下端排出口は、配合済み材料の供給先としての射出成形機９の材料投入口９ａに連設されている。
【００２２】
射出成形機９は、詳細な説明は省略するが材料投入口９ａから投入された配合済み材料をシリンダ内で溶融させて、溶融させた１ショット分の樹脂をシリンダ先端のノズルから金型（不図示）内に射出させて、樹脂成形品を成形する。
尚、本実施形態に係る配合供給装置１において配合した材料の供給先としては、合成樹脂成形品を成形する射出成形機に限られず、他の材料用の射出成形機、または押出成形機や圧縮成形機等の他の成形機を供給先とする態様としてもよい。
【００２３】
材料供給部１０は、複数種の配合前の粉粒体材料（図例では、Ａ材、Ｂ材、Ｃ材及びＤ材の４種類）を、それぞれに貯留する複数の材料供給機１１（１１Ａ，１１Ｂ，１１Ｃ，１１Ｄ）を有している。これら複数種の粉粒体材料は、例えば、合成樹脂成形品を成形する場合には、バージン材や粉砕材、マスターバッチ、各種添加剤等が挙げられる。
各材料供給機１１は、上記各材料を貯留する材料ホッパー１２（１２Ａ，１２Ｂ，１２Ｃ，１２Ｄ）と、これら材料ホッパー１２の下端部に設けられた供給フィーダ（定量供給器）１３（１３Ａ，１３Ｂ，１３Ｃ，１３Ｄ）とを備えている。
供給フィーダ１３は、図例では、モータ等の駆動部を有したスクリュー式のフィーダ１３Ａ，１３Ｂ，１３Ｃと、エアシリンダ等の駆動部を有したスライドダンパー（スライドシャッター）式のフィーダ１３Ｄとを示している。
これら各供給フィーダ１３は、その材料排出口が、後記する計量機２０の計量ホッパー２１の上端の投入口に臨むように設置されており、各供給フィーダ１３から個別に順次、供給された各材料は、自重落下（自然落下）により、計量ホッパー２１内に投入されて計量される。
尚、各供給フィーダの構成は、図例のものに限られず、例えば、振動発生部を有した振動フィーダや、ロータリーフィーダ、ターンテーブル上の材料をスクレイパーで掻きとるようにして微少量を供給するマイクロフィーダ等の他の材料切出装置としてもよい。
【００２４】
各材料ホッパー１２には、材料センサー１５（（１５Ａ，１５Ｂ，１５Ｃ，１５Ｄ）、（図２参照））が設けられており、これら材料センサー１５の材料要求信号により各材料の輸送制御がなされる。
また、各材料ホッパー１２の上端部には、材料タンク（不図示）から空気輸送される各材料を捕集する捕集器１４（１４Ａ，１４Ｂ，１４Ｃ，１４Ｄ）が設けられている。各捕集器１４には、末端にサクションノズル５ａを有した材料輸送管５・・・がそれぞれ接続され、これらサクションノズル５ａが、各材料タンク内に差し込まれている。
これら捕集器１４への各材料の輸送は、本実施形態では、吸引ブロアー等の吸引空気源２による吸引作用により吸引輸送する態様としている。この吸引ブロアー２には、吸引管３の一端が接続され、この吸引管３の他端には、輸送材料切り替え弁４が接続され、この輸送材料切り替え弁４には、材料数に応じた本数（図例では４本）の吸引管３が接続されている。また、この４本の吸引管３のそれぞれは、上記した各材料供給機１１の各捕集器１４に接続されている。
【００２５】
上記した材料供給部１０への材料輸送手段を構成する吸引ブロアー２及び輸送材料切り替え弁４、並びに材料供給部１０における各材料センサー１５及び各供給フィーダ１３は、図２に示すように、信号線を介して制御部としてのＣＰＵ６１に接続されており、所定プログラムに従って制御がなされる。
すなわち、各材料供給機１１への材料輸送動作は、材料ホッパー１２のうちのいずれかの材料センサー１５から材料要求信号が出力されれば、材料要求のあった材料供給機１１の捕集器１４に接続された吸引管３と吸引ブロアー２とを連通させるように輸送材料切り替え弁４を切り替え、吸引ブロアー２を起動させることで、その材料ホッパー１２に対応する材料タンク内に貯留された粉粒体材料が材料輸送管５を介して捕集器１４に向けて輸送される。そして、当該捕集器１４において捕集され、捕集器１４から下方の材料ホッパー１２に投入されて貯留される。
つまり、これら各材料ホッパー１２には、当該配合供給装置１の作動中は常時、所定量以上の各材料が貯留されるように、各材料センサー１５の材料要求信号により、適宜、各材料供給機１１への各材料の輸送、補給がなされる。
尚、各材料タンクから各材料供給機１１への各材料の輸送態様は、吸引輸送に限られず、コンプレッサー等の圧縮空気供給源によって圧送する態様としてもよい。
また、材料供給機１１の設置個数は、図例のように４つに限られず、それ以外の複数を設置するようにしてもよい。
【００２６】
計量機２０は、上記した各材料供給機１１からの材料を受け入れる計量ホッパー２１と、この計量ホッパー２１の下端排出口を開閉する排出ダンパー２３と、計量ホッパー２１に投入された各材料を計量するためのロードセル等の重量センサ２２とを備えている。
これらロードセル２２及び排出ダンパー２３は、上記した材料輸送手段及び材料供給部１０と同様、図２に示すように、信号線を介してＣＰＵ６１に接続されており、上記した各材料供給機１１とともに、所定プログラムに従って制御されて計量工程が実行される。
【００２７】
すなわち、図５（ｂ）に示すように、１バッチ目標量の初期設定値（初期設定時バッチ量）が、６０００ｇであり、各材料の配合比が、Ａ材：Ｂ材：Ｃ材：Ｄ材＝１：５：３４：６０に設定されているとすれば、まず、Ａ材を貯留するＡ材料供給機１１Ａの供給フィーダ１３Ａを作動させて、Ａ材を計量ホッパー２１に投入させ、ロードセル２２の計測値に基づいて、供給フィーダ１３Ａをフィードバック制御し、目標設定値である６０ｇになれば供給フィーダ１３Ａを停止させてＡ材の供給を停止する。以下、同様に、各材料供給機１１を駆動制御し、Ｂ材を３００ｇ、Ｃ材を２０４０ｇ、Ｄ材を３６００ｇとなるまで個別に順次、計量ホッパー２１に投入させて計量を実行する。各材料をそれぞれ目標設定値まで計量すれば、１バッチ量分の計量工程が終了する。この計量機２０において計量された計量済み（配合済み）の材料は、計量機２０の下部の排出ダンパー２３を、所定の開放時間ｔ３（図３参照）が経過するまで開放させて、計量機２０の下流側に設置された混合ドラム３０に向けて排出される。
【００２８】
尚、上記各供給フィーダ１３を駆動制御する際に、駆動停止時における落差量を考慮して駆動制御したり、各材料の計量時における供給量を段階的に、或いは連続的に減少させるように駆動制御したりするようにしてもよい。
また、上記開放時間ｔ３は、最大量（初期設定時バッチ量）の１バッチ量分の材料の排出が可能な程度の時間で適宜、設定可能である。
さらに、４種類の材料を計量する態様に限られず、それ以外の複数種の材料を計量する態様としてもよい。
【００２９】
上記した計量機２０から排出された計量済みの１バッチ量分の材料は、混合ドラム３０に投入されて混合がなされる。
この混合ドラム３０は、投入された材料を収容する収容部３１と収容部３１内の材料を攪拌して混合するための攪拌羽根３２と、攪拌羽根３２を回転駆動する攪拌用モータ３３と、収容部３１の下端排出口を開閉する排出ダンパー３４とを備えている。
この混合ドラム３０の攪拌用モータ３３及び排出ダンパー３４は、上記同様、図２に示すように、信号線を介してＣＰＵ６１に接続されており、所定プログラムに従って制御されて混合工程が実行される。
すなわち、上記した計量機２０の排出ダンパー２３が閉止されて所定の遅延時間が経過すれば、攪拌用モータ３３を回転駆動させて、所定の混合時間ｔ５（図３参照）が経過するまで攪拌、混合がなされる。混合時間ｔ５が経過すれば、下部の排出ダンパー３４を、所定の開放時間ｔ６（図３参照）が経過するまで開放させて、混合ドラム３０の下流側に設置された一時貯留ホッパー４０に向けて、混合済み（配合済み）の材料を排出させて、混合工程が終了する。
【００３０】
尚、上記混合時間ｔ５は、後記するように１バッチ目標量を変更させる態様においては、１バッチ目標量に応じて、適宜、変更するようにしてもよく、また、最大量（初期設定時バッチ量）の１バッチ量分の材料の混合が可能な程度の一定の時間としてもよい。
また、上記開放時間ｔ６は、上記開放時間ｔ３と同様、最大量（初期設定時バッチ量）の１バッチ量分の材料の排出が可能な程度の時間で適宜、設定可能である。
さらに、混合ドラム３０における混合工程、すなわち、排出ダンパー３４を開放させて、混合済み材料の排出動作が完了し、排出ダンパー３４が閉止された後に、計量機２０から混合ドラム３０への材料の投入がなされるように構成されている。
【００３１】
上記した混合ドラム３０から排出された混合済みの１バッチ量分の材料は、一時貯留ホッパー４０に投入されて、下流側のチャージホッパー５０の材料センサー５２からの材料要求信号があるまで貯留されて保持される。
この一時貯留ホッパー４０は、材料貯留部４１と、材料貯留部４１内の材料の有無を検出する材料センサー４２とを備え、当該配合供給装置１における最大量（初期設定時バッチ量）の１バッチ量分の材料の貯留が少なくとも可能とされている。また、材料センサー４２は、少なくとも最低バッチ量の材料の有無の検出が可能な構成とされている。
この一時貯留ホッパー４０の材料貯留部４１の下端部に設けられた材料排出口には、材料輸送管８の一端が接続されている。
【００３２】
材料輸送管８の他端は、射出成形機９の上部に設置されたチャージホッパー５０の上部捕集器５３に接続されている。
チャージホッパー５０は、下端排出口が射出成形機９の材料投入口９ａに連通された材料貯留部５１と、この材料貯留部５１内に貯留された材料レベルが所定レベルまで低下したことを検出する材料センサー５２とを備えている。この材料貯留部５１には、初期設定時バッチ量の数バッチ量分程度の材料の貯留が少なくとも可能とされている。また、この材料センサー５２は、例えば、この材料センサー５２の検出レベル以下の貯留空間に、初期設定時バッチ量の半バッチ程度から１バッチ半程度の貯留が可能なように設けられている。
尚、チャージホッパー５０の下部に、射出成形機９の材料投入口９ａに向けて配合済み材料を定量供給する上記同様の供給フィーダ等を更に設けるようにしてもよい。
【００３３】
上記したチャージホッパー５０の上部の捕集器５３は、上記同様の吸引管７を介して吸引ブロアー６に接続されている。
これらチャージホッパー５０の材料センサー５２、及び材料輸送手段を構成する吸引ブロアー６は、上記同様、図２に示すように、信号線を介してＣＰＵ６１に接続されており、所定プログラムに従って制御されて輸送工程が実行される。
すなわち、チャージホッパー５０の材料センサー５２から材料要求信号が出力されれば、吸引ブロアー６を起動させ、所定の輸送時間ｔ１（図３参照）が経過するまで作動させて、一時貯留ホッパー４０に貯留された１バッチ量分の混合済み材料を、材料輸送管８を介して捕集器５３に向けて輸送し、捕集器５３において捕集して、捕集器５３から下方の材料貯留部５１に投入して貯留させる。
尚、上記輸送時間ｔ１は、例えば、当該配合供給装置１における最大量（初期設定時バッチ量）の１バッチ量分の材料の輸送が可能な程度の時間で適宜、設定可能である。
【００３４】
制御盤６０は、図１及び図２に示すように、当該配合供給装置１の上記した各機器を上記所定のプログラムに従って制御するとともに、後記する各プログラムを実行する制御部としてのＣＰＵ６１と、このＣＰＵ６１に信号線を介してそれぞれ接続された、各種設定などを設定、入力したり、表示したりするための表示操作部を構成する操作パネル６２と、この操作パネル６２の操作により設定、入力された設定条件や入力値、後記する基本動作や各動作等を実行するための制御プログラムなどの各種プログラム、予め設定された各種動作条件や各種データテーブル等が格納され、各種メモリ等から構成された記憶部６３とを備えている。
操作パネル６２には、後記する所定の成形終了予定信号を生成する信号生成部としての成形終了予定スイッチ６２ａが設けられている。また、この操作パネル６２は、射出成形機９の１ショット量と、成形終了予定信号後の残ショット数Ｓ１（図６（ｂ）参照）との入力が可能とされている。
【００３５】
ＣＰＵ６１は、当該配合供給装置１の各部における計量動作、混合動作及び輸送動作等を監視し、計量機２０からチャージホッパー５０の上流側までに待機している材料（上流側待機量Ｍ（図６（ｂ）参照））を検出する待機量検出手段を構成する。
また、ＣＰＵ６１は、クロックタイマー等の計時手段や演算処理部を備え、後記するように、必要量Ｗと待機量ＴＭとを算出し、この必要量Ｗから待機量ＴＭを減算して、残り必要量ＲＷに応じた残り必要計量回数Ｎを算出して、計量機２０の計量回数を制御する計量回数制御手段を構成する（図６（ｂ）参照）。
さらに、ＣＰＵ６１は、後記するように、計量機２０や各種センサー４２，５２等とともに、射出成形機９において単位時間当たりに処理される材料の処理能力を検出する処理能力検出手段、及び射出成形機９に向けて単位時間当たりに供給可能な材料の配合供給能力を検出する配合供給能力検出手段を構成する。
さらにまた、ＣＰＵ６１は、後記するように、処理能力と配合供給能力とを比較し、該配合供給能力が該処理能力よりも過剰であり、かつ所定基準まで減少可能なときには、該配合供給能力を減少させるように更新して配合供給を実行させる配合供給能力制御手段を構成する。
【００３６】
次に、上記構成とされた本実施形態に係る配合供給装置１において実行される基本動作の一例を、図３〜図６に基づいて説明する。
尚、図３、後記する図１１及び図１２に示す概略タイムチャート図では、各機器のＯＮ／ＯＦＦ動作や出力信号、各排出ダンパーの開閉動作等を模式的に図示している。
また、図３に示す概略タイムチャート図は、後記する配合供給能力変更パターンＣにおける第１待機モードの動作例に相当する。
【００３７】
＜初期準備運転＞
当該配合供給装置１の起動がなされた後は、所定の初期準備運転が実行される。
当該配合供給装置１の起動時には、上記した計量機２０、一時貯留ホッパー４０、及びチャージホッパー５０の各部には、未だ材料が計量待機または貯留保持されていない状態（空状態）である。すなわち、チャージホッパー５０の材料センサー５２及び一時貯留ホッパー４０の材料センサー４２から材料要求信号が出力されている状態である。
【００３８】
まず、計量機２０において初期設定時バッチ量で、上記した計量工程を実行させ、混合ドラム３０に向けて排出させて、引き続き計量工程を実行する。これに並行して混合ドラム３０において上記した混合工程を実行させ、一時貯留ホッパー４０に向けて排出させる。
これにより、一時貯留ホッパー４０の材料センサー４２の材料要求信号が消え、その材料要求信号の消滅後、所定の遅延時間が経過すれば、上記した吸引ブロアー６を起動して、一時貯留ホッパー４０内の混合済みの１バッチ量分の材料を、チャージホッパー５０に向けて輸送する。
これにより、一時貯留ホッパー４０の材料センサー４２から材料要求信号が出力され、上記計量工程が完了していれば、混合ドラム３０に排出させ、上記同様、混合工程を経て、一時貯留ホッパー４０に貯留させて、上記同様、チャージホッパー５０に向けて輸送する。このような動作を、チャージホッパー５０の材料センサー５２からの材料要求信号が消えるまで繰り返し、その材料要求信号が消えれば、成形準備が整う。
成形準備が整えば、射出成形機９の前回製造ロット時の材料を廃棄するための捨て打ちや成形品が良品となるまで試験打ち等が適宜、実行される。
【００３９】
＜定常運転：第１待機モード＞
上記初期準備運転の後、射出成形機９において逐次、成形品を成形する定常運転がなされる。
本動作例では、第１待機モードで配合供給を実行するようにしている。
この第１待機モードでは、図３に示すように、チャージホッパー５０の材料センサー５２からの材料要求信号が出力されるまでに、一時貯留ホッパー４０に１バッチ量分の材料を補給して待機させ、かつ、一時貯留ホッパー４０の材料センサー４２からの材料要求信号が出力されるまでに、計量機２０において１バッチ量分の材料を計量させて待機させるようにしている。
【００４０】
すなわち、チャージホッパー５０の材料センサー５２からの材料要求信号が出力されれば、上記した吸引ブロアー６を輸送時間ｔ１が経過するまで作動させて、一時貯留ホッパー４０に貯留された１バッチ量分の材料を、チャージホッパー５０に輸送する。一時貯留ホッパー４０の材料センサー４２から材料要求信号が出力されれば、計量機２０の排出ダンパー２３を開放時間ｔ３が経過するまで開放させ、計量機２０において保持されている１バッチ量分の材料を混合ドラム３０に投入し、上記混合工程を実行させ、一時貯留ホッパー４０に材料を投入し、次の材料要求信号が出力されるまで１バッチ量分の材料を待機させる。また、上記と並行して、計量機２０の排出ダンパー２３が閉止されれば、上記計量工程を実行させ、次の材料要求信号が出力されるまで１バッチ量分の材料を待機させる。
【００４１】
このように、第１待機モードでは、計量機２０及び一時貯留ホッパー４０に概ね材料を待機（計量待機及び貯留保持）させた状態とし、計量機２０における計量工程の実行と混合ドラム３０における混合工程の実行とが並行してなされる態様とされている。
以下、同様にしてチャージホッパー５０の材料センサー５２からの材料要求信号が出力される毎に、材料の輸送、計量及び混合がなされる。
射出成形機９では、配合されて供給された配合済み材料を消費しながら所定の１ショット量、及びショットサイクルで、成形品を逐次、成形するが、製造ロット替えや運転終了時などの成形終了時には、上記した計量機２０及び一時貯留ホッパー４０、並びにチャージホッパー５０において配合済みの材料が残材となる。
【００４２】
そこで、本実施形態では、所定の計量回数制御プログラムに従って上記したＣＰＵ６１により、所定の成形終了予定信号を受信した後、射出成形機９において必要な材料に応じた適切な配合供給量となるように、残り必要計量回数等を算出し、計量機２０の計量動作を制御するようにしている。
また、本実施形態では、このような成形終了予定信号の受信に関連してなされる計量回数制御プログラムに従った計量回数制御機能に加えて、緊急停止時等における配合済み材料を減少化させるべく、所定の配合供給能力変更プログラムに従って上記したＣＰＵ６１により、定常運転への移行を検出し、処理能力及び配合供給能力（計量能力）を検出して、これら処理能力及び計量能力に基づいて、当該配合供給装置１における配合供給能力を減少させ、緊急停止時等における残材を減少させるようにしている。
以下、本実施形態において実行される配合供給能力変更プログラム及び計量回数制御プログラムの一動作例について説明する。
【００４３】
＜定常運転移行検出＞
本動作例では、当該配合供給装置１の起動後、単位時間当たりに射出成形機９側に向けて供給される材料の処理能力を検出し、この処理能力が所定の安定状態となったときに、定常運転に移行したと判別するようにしている。
この定常運転への移行の検出は、図４（ａ）に基づいて後述する処理能力検出機能の動作例と同様にして、処理能力を検出し、定常運転への移行を検出するようにしてもよい。
すなわち、図４（ａ）に示すように、計量機２０の排出ダンパー２３が開放されれば（ステップ１０２）、タイマーを起動させ（ステップ１０３）、次に、計量機２０の排出ダンパー２３が開放されれば（ステップ１０４）、タイマーをリセットし、処理時間ｔ２（図３参照）を記憶部６３に格納させ、タイマーを再起動させる（ステップ１０５）。
上記処理時間ｔ２と、その間に計量機２０において計量した１バッチ目標量（初期準備運転時においては、初期設定時バッチ量）とから、処理能力Ｘを算出し、記憶部６３に格納させる（ステップ１０６）。また、ステップ１０５において、タイマーを再起動させた後は、上記同様、計量機２０の排出ダンパー２３の開放の有無を監視し、計量機２０の排出ダンパー２３が開放される毎に、処理能力Ｘを算出するようにしている（ステップ１０４〜１０６）。
【００４４】
上記処理能力Ｘを、当該配合供給装置１の起動後、計量機２０の排出ダンパー２３が開放される毎に算出し、記憶部６３に格納させ、この算出毎の処理能力Ｘのばらつきがある閾値以内となったときに、安定状態と判別し、定常運転に移行したと判別するようにしてもよい。この安定か否かの判別は、例えば、算出された処理能力Ｘと、その直近に算出された数回分（例えば、５回分程度など）の処理能力Ｘの平均値との差が、数％乃至は１０％程度以内になった際や、算出毎の処理能力Ｘの差分値が所定の閾値以下となり安定したときに、所定の安定状態になったと判別し、定常運転に移行したと判別するようにしてもよい。
つまり、初期準備運転では、上記したように、当該配合供給装置１の各部には、材料が待機、保持されていない状態であり、最大限の配合供給が実行され、その後、捨て打ちや試験打ち等の実行がなされるが、この間は、射出成形機９では、安定した材料の消費（略一定の処理速度かつ処理量）がなされておらず、処理能力Ｘ（初期準備運転時における各部に材料を待機、保持させるまでは、実質的には射出成形機９において材料の処理（消費）がなされないが、この間に検出される処理時間ｔ２と、１バッチ目標量とに基づいて算出された値も処理能力とする。）は、上下に大きく変動し、不安定な状態である。本動作例では、この不安定な状態が、上記した所定の安定状態となったときに、定常運転に移行したと判別するようにしている。
【００４５】
定常運転に移行した後は、上述のように、射出成形機９において、所定の１ショット量、及びショットサイクルで、逐次、成形品の成形がなされるので、処理能力Ｘは、略一定で安定した状態となる。
尚、初期準備運転から定常運転への移行の検出は、上記した態様に限られず、例えば、試験打ち等により成形品が安定して良品となったことをユーザーに確認等させた後、操作パネル６２の定常運転（連続運転）スイッチ等を操作させ、その操作信号をＣＰＵ６１において検出することで、定常運転への移行を検出するようにしてもよい。
或いは、ユーザーによるスイッチ操作や上述のような処理度合いを示す指標（処理時間ｔ２及び１バッチ目標量）から算出される処理能力Ｘの安定度合いに基づく自動検出によって定常運転への移行を検出する態様に代えて、例えば、射出成形機９からショットサイクル時間等の成形状態を示す情報が出力されるような場合は、その成形状態が所定の安定状態となったときに、定常運転への移行と判別するようにしてもよい。
また、上記態様では、計量機２０の排出ダンパー２３の開放動作信号を監視して、処理時間ｔ２を取得する態様について説明したが、計量機２０の計量開始のタイミングまたはこれに関連するタイミングを検出可能な信号に基づいて処理時間ｔ２を取得するようにしてもよい。例えば、一時貯留ホッパー４０の材料センサー４２からの材料要求信号や、計量機２０の計量毎の計量開始動作信号または計量完了動作信号、混合ドラム３０における各機器の動作信号等を監視して、処理時間ｔ２を取得するようにしてもよい。
【００４６】
＜処理能力検出＞
図４（ａ）に示すように、所定の初期準備運転を実行（ステップ１００）した後、上記のように定常運転に移行したか否かを判別し、定常運転への移行を検出すれば（ステップ１０１）、上記同様にして処理能力Ｘを算出し、定常運転時における処理能力Ｘを記憶部６３に格納させる（ステップ１０２〜１０６）。
例えば、後記する配合供給能力の変更がなされるまでは、計量機２０における１バッチ目標量は、初期設定時バッチ量（図５（ｂ）では、６０００ｇ）であり、信号間の時間ｔ２が、３分であったとすれば、処理能力Ｘは、１２０ｋｇ／ｈとなる。
この定常運転時における処理能力Ｘは、上述のように、略一定で安定しており、定常運転時における、一度の算出により、処理能力Ｘを取得して格納し、以降は処理能力Ｘを検出しないような態様としてもよいが、本動作例では、上記定常運転移行検出時と同様、計量機２０の排出ダンパー２３が開放される毎に処理能力Ｘを算出し、記憶部６３に格納させるようにしている。
【００４７】
尚、上記処理能力算出のために取得する処理時間ｔ２は、計量機２０によって計量した１バッチ量分の材料が、射出成形機９において処理された際に生成される信号または関連して生成される信号から次回の信号までの時間を、処理時間ｔ２とすればよい。この信号は、本実施形態のように、一時貯留ホッパー４０において１バッチ量分の材料を貯留させ、下流側からの材料要求信号があれば、全量をチャージホッパー５０に輸送させる場合には、上記定常運転移行検出時と略同様、例えば、チャージホッパー５０や一時貯留ホッパー４０の材料センサー４２，５２からの材料要求信号や、計量機２０の計量毎の計量開始動作信号または計量完了動作信号、混合ドラム３０における各機器の動作信号等としてもよい。
【００４８】
また、処理能力Ｘの検出態様は、上記した態様に限られず、例えば、射出成形機９において成形されている１ショット量とショットサイクル時間とから処理能力Ｘを検出するような態様としてもよい。これら１ショット量とショットサイクル時間とは、ユーザーによる操作パネル６２への入力により取得するようにしてもよく、または、射出成形機９から出力されるデータ等から取得するようにしてもよい。或いは、処理能力Ｘ自体を、射出成形機９の成形データの表示等を参照して、ユーザーに操作パネル６２に手動入力させ、その操作信号をＣＰＵ６１において検出することで、処理能力Ｘを検出するような態様としてもよい。
その他、種々の態様により、単位時間当たりに射出成形機９において処理される材料の処理能力Ｘを検出するようにしてもよい。
【００４９】
＜配合供給能力（計量能力）検出＞
上記処理能力検出時と同様、図４（ｂ）に示すように、所定の初期準備運転を実行（ステップ１００）した後、定常運転への移行を検出すれば（ステップ１０１）、計量能力Ｙを検出する。
この計量能力Ｙは、計量機２０における計量動作を監視し、その計量動作に要した時間に基づいて算出される。
すなわち、計量が開始されれば（ステップ１１２）、タイマーを起動させ（ステップ１１３）、計量が完了すれば（ステップ１１４）、タイマーをリセットし、計量時間ｔ４（図３参照）を記憶部６３に格納させる（ステップ１１５）。
上記計量時間ｔ４と、計量機２０において計量した１バッチ目標量とから、当該計量機２０における、計量能力Ｙ、すなわち、射出成形機９に向けて単位時間当たりに供給可能な材料の計量能力Ｙを算出し、記憶部６３に格納させる（ステップ１１６）。
【００５０】
例えば、後記する配合供給能力の変更がなされるまでは、計量機２０における１バッチ目標量は、初期設定時バッチ量（図５（ｂ）では、６０００ｇ）であり、計量時間ｔ４が、１分であったとすれば、計量能力Ｙは、３６０ｋｇ／ｈとなる（図５（ｂ）参照）。
一般的に、上述のように、配合供給装置では、種々の成形機または成形機の種々の稼働態様に適用可能なように、配合供給装置における最大配合供給能力は、十分に大きく設定されている。また、計量機２０以外の各部における混合工程及び輸送工程において要する時間に遅延時間を加えた所要時間よりも、計量工程において要する所要時間が基本的には長く、上記した第１待機モードでは、計量能力Ｙは、当該配合供給装置１における、射出成形機９に向けて単位時間当たりに供給可能な材料の配合供給能力に相当し、本動作例では、計量能力Ｙを配合供給能力としている。
【００５１】
尚、計量能力Ｙは、後記する配合供給能力変更パターンＡにおいては、定常運転に移行した後の一度の計量工程から算出し、格納するようにしてもよいが、図４（ｂ）の二点鎖線で示すように、後記する配合供給能力変更パターンＢにおいては、計量工程が実行される毎に計量能力Ｙを算出し、格納するようにしている。
【００５２】
＜配合供給能力変更パターンＡ＞
図５（ａ）に示すように、検出して格納した処理能力Ｘと計量能力Ｙとを比較し、処理能力Ｘに応じた目標計量能力を算出して、１バッチ目標量を算出する（ステップ２００）。その１バッチ目標量から算出された各材料の目標設定値が、最小計量可能値以下であるかを判別し（ステップ２０１）、その目標設定値が最小計量可能値以下であれば、変更前の１バッチ目標量（図５（ｂ）では、初期設定時バッチ量の６０００ｇ）を、その最小計量可能値に基づいて算出した最低バッチ目標量（図５（ｂ）では、５００ｇ）に変更する（ステップ２０２）。一方、上記目標設定値が最小計量可能値を超えていれば、変更前の１バッチ目標量を、所定の１バッチ目標量に変更する（ステップ２０３）。
上記最小計量可能値は、計量機２０において、上述のように材料毎に計量する際に、計量可能な値として予め設定されており、図５（ｂ）の例では、５ｇを最小計量可能値として設定している。
【００５３】
上記所定の１バッチ目標量の算出は、例えば、上述のように、定常運転移行後における処理能力Ｘが、１２０ｋｇ／ｈであり、計量能力Ｙが、３６０ｋｇ／ｈであった場合を例にすれば、計量能力Ｙが、処理能力Ｘよりも過剰であるので、処理能力Ｘに見合った１２０ｋｇ／ｈとなるように、目標計量能力を算出し、この目標計量能力から１バッチ目標量（図５（ｂ）の例では、２０００ｇ）を算出するようにすればよい。すなわち、変更前に検出した計量能力Ｙ（３６０ｋｇ／ｈ）を処理能力Ｘ（１２０ｋｇ／ｈ）に一致させるように目標計量能力（１２０ｋｇ／ｈ）を算出し、この目標計量能力の上記計量能力Ｙに対する減少割合に応じて、初期設定時バッチ量（６０００ｇ）から１バッチ目標量（２０００ｇ）を算出するようにすればよい。このように算出された１バッチ目標量と予め設定された質量比とから各材料の設定値が算出される。
【００５４】
上記のように、処理能力Ｘに、目標計量能力を一致させ、１バッチ目標量を算出して設定し、更新させる場合は、処理能力Ｘを、例えば、１０ｋｇ／ｈ刻みで安全側の値となるように、切り捨てて端数処理した値（例えば、１１５ｋｇ／ｈであった場合は、１２０ｋｇ／ｈ）を処理能力Ｘとして格納するようにしてもよい。
また、このように、処理能力Ｘに、目標計量能力を一致させ、１バッチ目標量を算出して設定し、更新させる場合にも、１バッチ目標量が減少することで、上記した計量時間ｔ４が短くなり、１バッチ目標量を更新後の実際の計量能力Ｙ（実測値）は、大きくなるので、射出成形機９側へのショートフィード等が生じるような問題もない。
【００５５】
上記のように１バッチ目標量を更新した後は、その１バッチ目標量で計量を行い、上記定常運転時における同様の動作（第１待機モード）で配合供給の実行がなされ、処理能力Ｘが所定の閾値以上に増加すれば（ステップ２０４）、１バッチ目標量をリセットし（ステップ２０５）、初期準備運転に移行させる。
例えば、当該配合供給装置１に、供給先として複数台の射出成形機９が接続されていたり、新たに接続されたりして、供給すべき射出成形機９の稼働台数が増加したような場合には、処理能力Ｘが大幅に増加し、更新した１バッチ目標量では、ショートフィードが生じる場合がある。従って、本動作例では、上記のように処理能力Ｘの許容増加幅を予め設定しておき、変更した１バッチ目標量をリセットして、初期設定時バッチ量に戻し、初期準備運転に移行させるようにしている。この初期準備運転に移行した後は、上記同様、定常運転に移行したか否かを判別し、処理能力Ｘ及び計量能力Ｙを検出して、配合供給能力を減少させるように更新して配合供給を実行させるようにしてもよい。
【００５６】
尚、上記処理能力Ｘが所定の閾値以上に増加したときに、アラームや異常メッセージ等をスピーカ等の報知手段から鳴動させるようにしてもよい。
また、上記のように、処理能力Ｘを常時、監視しながら、異常（処理能力Ｘの大幅な増加）を検出するような態様に代えて、手動操作により、リセットするような態様としてもよい。または、上記ステップ２０４以降の工程を実行しない態様としてもよい。
または、処理能力Ｘが、増加した場合には、計量能力Ｙが処理能力Ｘに見合った値となるように目標計量能力を算出し、１バッチ目標量を増加させるように更新してもよい。
【００５７】
＜計量回数制御パターンＡ＞
次に、計量回数制御プログラムの一動作例について図６に基づいて説明する。
まず、事前設定入力項目として、当該配合供給装置１の起動後、１ショット量と、残ショット数Ｓ１とを操作パネル６２から入力させ、記憶部６３に格納する。
この１ショット量は、射出成形機９において成形された成形品のうちの良品を、例えば、ユーザーが計量して確認し、入力させるようにしてもよく、または、射出成形機９において成形データとして１ショット量が表示等されている場合には、それを参照して、入力させるようにしてもよい。
また、上記残ショット数Ｓ１は、残り成形量等をユーザー側で確認し、適宜の回数を入力させるようにしてもよく、または、予め単一若しくは複数の残ショット数Ｓ１を設定しておき、操作パネル６２に表示させて、ユーザーに選択させるような態様としてもよい。さらに、この残ショット数Ｓ１の入力または選択により、成形終了予定信号を生成するようにしてもよい。この場合は、操作パネル６２における残ショット数Ｓ１入力部が信号生成部を構成する。
【００５８】
次いで、図６（ａ）に示すように、上記同様にして検出して格納された処理能力Ｘと、操作パネル６２に入力された上記１ショット量とから、１ショットサイクル時間ｔ７を算出し、記憶部６３に格納させる。例えば、上記のように処理能力Ｘが、１２０ｋｇ／ｈで、入力された１ショット量が、１００ｇであれば、１ショットサイクル時間は、３秒となる。この１ショットサイクル時間ｔ７の算出は、上記定常運転移行後に算出するようにしてもよい。
また、チャージホッパー５０の材料センサー５２の検出レベル以下の貯留容量と、各材料の質量比及び各材料の嵩密度とから、上記検出レベル以下の材料待機量ＬＭ（図１も参照）を算出し、記憶部６３に格納させる。この材料待機量ＬＭの算出は、当該配合供給装置１の起動後の適時に算出するようにしてもよい。
尚、以下では、便宜的に、材料待機量ＬＭを４０００ｇとして説明する。
【００５９】
上記貯留容量は、予め設定して記憶部６３に格納させておいてもよく、操作パネル６２から事前設定入力項目として入力させるようにしてもよい。また、上記各材料の嵩密度も同様に、事前設定入力項目として操作パネル６２から入力させるようにしてもよい。
上記各事前設定入力項目の入力が、上記定常運転移行後になされなければ、アラームや異常メッセージ等を操作パネル６２に表示させたり、スピーカ等の報知手段から鳴動させたりするようにし、入力を促すようにしてもよい。
また、上述のように、射出成形機９からショットサイクル時間が出力されるような場合には、ＣＰＵ６１においてその出力信号を受信し、ショットサイクル時間ｔ７を記憶部６３に格納させるようにしたり、射出成形機９において成形データとして表示されるような場合には、そのデータをユーザーに確認させ、操作パネル６２に入力させるようにしたりしてもよい。これらの場合は、上記ショットサイクル時間ｔ７の算出は不要である。
または、単位時間当たりのショット数が射出成形機９から出力されるような場合には、このショット数と、処理能力Ｘとから１ショット量及び１ショットサイクル時間ｔ７を算出するようにしてもよい。
【００６０】
上記のように、各種事前設定入力項目が設定入力され、かつ、１ショットサイクル時間ｔ７及び材料待機量ＬＭが格納されれば、図６（ｂ）に示すように、成形終了予定スイッチ６２ａの操作の有無を監視する（ステップ３００）。
成形終了予定スイッチ６２ａが操作されれば（ステップ３００）、タイマーを起動させる（ステップ３０１）。そして、チャージホッパー５０の材料センサー５２からの材料要求信号が出力されれば（ステップ３０２）、タイマーをリセットし、上記成形終了予定スイッチ６２ａの操作により生成、出力された成形終了予定信号から、上記材料要求信号までの時間ｔ８を記憶部６３に格納させる（ステップ３０３）。
尚、上記のように、残ショット数Ｓ１の入力により、成形終了予定信号が生成される態様とした場合には、ステップ３００において、成形終了予定スイッチ６２ａの操作の有無を監視する態様に代えて、残ショット数Ｓ１の入力の有無を監視して、ステップ３０１においてタイマーを起動させるようにしてもよい。この場合は、成形終了予定スイッチ６２ａを設けないようにしてもよい。
【００６１】
次いで、上記１ショットサイクル時間ｔ７と、上記時間ｔ８とから、チャージホッパー５０の材料センサー５２の検出レベル上部の材料ＵＭ（図１も参照）で射出されたショット数Ｓ２を算出し、記憶部６３に格納させる（ステップ３０４）。例えば、上記のように、１ショットサイクル時間ｔ７が３秒で、上記時間ｔ８が３０秒であったとすれば、検出レベル上部の材料ＵＭで射出されたショット数Ｓ２は、１０ショットである。
この検出レベル上部の材料ＵＭは、材料センサー５２が材料レベルの下限を検出するものであるので、成形終了予定信号が出力された時点において、不明である。本動作例では、上記１ショットサイクル時間ｔ７と、上記時間ｔ８とから、この検出レベル上部の材料ＵＭで射出されたショット数Ｓ２、すなわち、成形終了予定信号から材料センサー５２の材料要求信号までの間に射出成形機９において処理された量を算出するようにしている。
尚、このような態様に代えて、成形終了予定信号が出力された時点における、検出レベル上部の材料ＵＭの量を検出可能なセンサー等を設け、この量を後記する待機量ＴＭに加える、または、後記する必要量から減算するようにしてもよい。
【００６２】
上記ショット数Ｓ２を算出した後、入力された上記残ショット数Ｓ１から、このショット数Ｓ２を減算し、必要残ショット数Ｓを算出する。さらに、この必要残ショット数Ｓと、上記１ショット量とから必要量Ｗを算出し、記憶部６３に格納させる（ステップ３０５）。
例えば、入力された残ショット数Ｓ１が、２００ショットとすれば、上記ショット数Ｓ２（１０ショット）を減じ、必要残ショット数Ｓは、１９０ショットとなり、上記１ショット量を乗じて、必要量Ｗは、１９ｋｇとなる。
【００６３】
このように、必要量Ｗを算出し、格納させた後、または、上記各ステップと並行して、計量機２０からチャージホッパー５０上流側までに待機している材料の待機量（上流側待機量）Ｍを算出し、この上流側待機量Ｍと、上記材料待機量ＬＭとから、待機量ＴＭを算出し、記憶部６３に格納させる（ステップ３０６）。
この上流側待機量Ｍは、当該配合供給装置１の各部における計量動作、混合動作及び輸送動作等をＣＰＵ６１によって監視し、これら各部における材料の待機有無（待機状態）を判別し、算出される。例えば、計量機２０が計量動作中であるか否かを判別し、計量動作中であれば、計量完了時の計量待機量を、上流側待機量Ｍに含めるようにしてもよい。
上記のように、１バッチ目標量を減少させた後の上流側待機量Ｍを例にすれば、上記第１待機モードでは、計量機２０における待機量（１バッチ目標量）が、２０００ｇで、混合ドラム３０、一時貯留ホッパー４０または輸送中の材料の待機量（１バッチ目標量）が、２０００ｇであり、上流側待機量Ｍは、４０００ｇとなる。
【００６４】
この上流側待機量Ｍ（４０００ｇ）に、上記した材料待機量ＬＭ（４０００ｇ）を加えれば、待機量ＴＭ（８０００ｇ）が算出される（ステップ３０６）。
次いで、上記した必要量Ｗ（１９ｋｇ）から、待機量ＴＭ（８０００ｇ）を減算して、残り必要量ＲＷ（１１ｋｇ）を算出し、記憶部６３に格納させる（ステップ３０７）。
この残り必要量ＲＷを計量機２０の１バッチ目標量で除して、残り必要計量回数Ｎを算出し、記憶部６３に格納させる（ステップ３０８）。例えば、上記した１バッチ目標量を、２０００ｇとした場合を例にすれば、残り必要計量回数Ｎは、５．５回となる。このように算出された残り必要計量回数Ｎを、例えば、ショートフィードなどが生じないよう、安全側に端数処理し、６回とするようにしてもよい。
次いで、上記のように算出された残り必要計量回数Ｎの計量を、設定された１バッチ目標量（上記例では、２０００ｇ）で、計量機２０に実行させ、以降の計量機２０の計量動作を停止させる（ステップ３０９）。すなわち、残り必要計量回数Ｎ回の計量を実行した後は、計量機２０の下流側からの材料要求信号が出力された際にも計量を実行させないようにしている。尚、残り必要計量回数Ｎ回目またはその後の適時以降は、各材料センサー４２，５２から材料要求信号を出力させないような態様としてもよい。
【００６５】
以上のように、本動作例では、必要量Ｗから、待機量ＴＭを減算して残り必要量ＲＷを算出し、それに応じた残り必要計量回数Ｎを算出して、その回数Ｎに応じた計量を、計量機２０に実行させて、以降の計量動作を停止させるようにしているので、成形終了予定信号が出力された後、成形終了時には、予定通りの成形品が成形され、かつ、残材を効率的に減少化させることができる。この結果、材料の無駄を低減でき、かつ廃棄量を減少させることができる。例えば、上記した例を挙げて説明すれば、残り必要量ＲＷ（１１ｋｇ）に対して、計量機２０において計量された材料は、１２ｋｇであり、残材は、概ね１０００ｇとなり、本動作例によれば、大幅に残材を減少させることができる。
【００６６】
また、特に、本動作例では、配合供給能力変更プログラムを実行して、射出成形機９の処理能力Ｘに応じた配合供給能力で、配合供給を実行させるようにしているので、射出成形機９が緊急停止された場合や、成形終了予定スイッチ６２ａの操作忘れ、または、各種事前設定入力項目の入力間違い等があった場合にも、残材を減少させることができる。すなわち、緊急停止等があった場合にも、計量機２０及び一時貯留ホッパー４０においてそれぞれ計量待機及び貯留されている１バッチ量分の材料、並びにチャージホッパー５０に輸送されて徐々に消費される１バッチ量分の材料を減少させることができる。
さらに、上記のように、１バッチ目標量を、射出成形機９の処理能力Ｘに合わせて減少させておくことで、上記のように、残り必要計量回数Ｎを算出した後の端数分に相当する１バッチ量が小さくなり、より効率的に、残材を減少化させることができる。
【００６７】
尚、上記１ショット量と、上記残ショット数Ｓ１とから、上記残ショット数Ｓ１が適切か否かを判別し、適切でないときには、アラームや異常メッセージ等を操作パネル６２に表示させたり、スピーカ等の報知手段から鳴動させたりするようにし、残ショット数Ｓ１の入力を訂正させるようにしてもよい。例えば、上記のように、この残ショット数Ｓ１に基づいて算出される必要量Ｗが、当該配合供給装置１の上記待機状態等に基づいて算出された待機量ＴＭを下回らないように、残ショット数Ｓ１の設定がなされるようにすることが好ましい。例えば、１ショット量と入力（または選択）された残ショット数Ｓ１とから仮の必要量を算出し、この仮必要量が、当該配合供給装置１における上記待機状態等に基づいて算出される上記待機量ＴＭを下回れば、残ショット数Ｓ１の入力訂正を促すようにしてもよい。
または、このように、必要量Ｗが待機量ＴＭを下回らないことを前提とした制御態様に代えて、例えば、上記のように、必要量Ｗと、待機量ＴＭとを算出した後、待機量ＴＭが、必要量Ｗを上回っているときには、以降の計量機２０の計量動作を停止させるようにしてもよい。このような場合にも、上述のように、本動作例では、１バッチ目標量を、射出成形機９の処理能力Ｘに合わせて減少させているので、残材を減少化させることができる。
【００６８】
また、本動作例では、成形終了予定信号を生成する信号生成部の一例として、成形終了予定スイッチ６２ａを設けてユーザーに操作させる態様とした例を示しているが、例えば、射出成形機９の成形品の排出側に、残り成形量を検出する検出手段（例えば、残りトレーの枚数検出や、排出成形品の量を検出するセンサー等）等を設け、この残り成形量検出手段からの出力信号を、成形終了予定信号としてＣＰＵ６１において受信して、上記同様に、計量回数制御を実行するようにしてもよい。
さらに、本動作例では、上記計量回数制御プログラムに加えて、配合供給能力変更プログラムを実行するようにした例を示したが、上記計量回数制御プログラムのみを実行する態様としてもよい。
【００６９】
次に、本実施形態に係る材料配合供給装置１で実行される計量回数制御プログラムの他の動作例を図７に基づいて説明する。
尚、上記した計量回数制御パターンＡと異なる動作態様等について主に説明し、同様の動作態様等については説明を省略する。
【００７０】
＜計量回数制御パターンＢ＞
まず、事前設定入力項目として、当該配合供給装置１の起動後、１ショットサイクル時間と、残ショット数Ｓ１とを操作パネル６２から入力させ、記憶部６３に格納する。
この１ショットサイクル時間は、上述のように、射出成形機９において成形データとして表示されるような場合には、そのデータをユーザーに確認させ、操作パネル６２に入力させるようにしてもよい。または、上述のように、射出成形機９からショットサイクル時間が出力されるような場合には、ＣＰＵ６１においてその出力信号を受信し、ショットサイクル時間を記憶部６３に格納させるようにしてもよい。この場合は、上記１ショットサイクル時間の入力は不要である。
【００７１】
上記１ショットサイクル時間と、処理能力Ｘと、残ショット数Ｓ１とに基づいて、必要量Ｗを算出し、記憶部６３に格納させる。例えば、上記例と同様、１ショットサイクル時間が３秒、処理能力Ｘが１２０ｋｇ／ｈ、残ショット数Ｓ１が２００ショットとすれば、１ショットサイクル時間と処理能力Ｘとから、１ショット量（１００ｇ）を算出し、これに残ショット数Ｓ１を乗じれば、必要量Ｗは、２０ｋｇとなる。
また、上記計量回数制御パターンＡと同様にして、材料待機量ＬＭを算出し、記憶部６３に格納させる。
【００７２】
上記のように、各種事前設定入力項目が設定入力され、かつ、必要量Ｗ及び材料待機量ＬＭが格納されれば、図７（ｂ）に示すように、成形終了予定スイッチ６２ａの操作の有無を監視する（ステップ３００）。または、上記のように、残ショット数Ｓ１の入力により、成形終了予定信号が生成される態様とした場合には、ステップ３００において、成形終了予定スイッチ６２ａの操作の有無を監視する態様に代えて、残ショット数Ｓ１の入力の有無を監視するようにしてもよい。
次いで、成形終了予定スイッチ６２ａが操作されれば（ステップ３００）、上記計量回数制御パターンＡにおけるステップ３０６〜３０９と同様にして、ステップ３１６〜３１９を実行する。
【００７３】
すなわち、計量機２０からチャージホッパー５０上流側までに待機している材料の待機量（上流側待機量）Ｍを算出し、この上流側待機量Ｍと、上記材料待機量ＬＭとから、待機量ＴＭを算出し、記憶部６３に格納させる（ステップ３１６）。
次いで、上記した必要量Ｗ（２０ｋｇ）から、待機量ＴＭ（８０００ｇ）を減算して、残り必要量ＲＷ（１２ｋｇ）を算出し、記憶部６３に格納させる（ステップ３１７）。
この残り必要量ＲＷを計量機２０の１バッチ目標量で除して、残り必要計量回数Ｎを算出し、記憶部６３に格納させる（ステップ３１８）。例えば、上記した１バッチ目標量を、２０００ｇとした場合を例にすれば、残り必要計量回数Ｎは、６回となる。
次いで、上記のように算出された残り必要計量回数Ｎの計量を、設定された１バッチ目標量（上記例では、２０００ｇ）で、計量機２０に実行させ、以降の計量機２０の計量動作を停止させる（ステップ３１９）。
【００７４】
以上のように、本動作例においても、成形終了予定信号が出力された後、成形終了時には、予定通りの成形品が成形され、かつ、残材を効率的に減少化させることができる。この結果、材料の無駄を低減でき、かつ廃棄量を減少させることができる。例えば、上記した例を挙げて説明すれば、残り必要量ＲＷ（１２ｋｇ）に対して、計量機２０において計量された材料は、１２ｋｇであり、残材は、成形終了予定信号が出力された時点における、チャージホッパー５０の材料センサー５２の検出レベル上部の不明の材料分に、残り必要計量回数Ｎを算出した後の端数分を加えた量、すなわち、最大でも２バッチ量分未満となり、本動作例によっても、残材を減少させることができる。
尚、本動作例において、必要量Ｗを算出する態様は、上記した例に限られず、例えば、１ショット量を、上記計量回数制御パターンＡにおいて説明したように、入力させる、または、算出し、その１ショット量に、残ショット数Ｓ１を乗じて必要量Ｗを算出するようにしてもよい。
また、本動作例では、成形終了予定信号が出力された時点における、チャージホッパー５０の材料センサー５２の検出レベル上部の不明の材料分が残材となるため、残り必要計量回数Ｎを端数処理する際に、切り捨て、または四捨五入するようにしてもよい。
【００７５】
次に、本実施形態に係る材料配合供給装置１で実行される計量回数制御プログラムの更に他の動作例を図８に基づいて説明する。
尚、本動作例では、上記した計量回数制御パターンＡ及びパターンＢにおけるステップ３０８またはステップ３１８以降に代えて、以下のステップ３２８〜３３２を実行するようにしており、ステップ３０７またはステップ３１７以前については、上記した計量回数制御パターンＡ及びパターンＢと同様であるので説明を省略する。
【００７６】
＜計量回数制御パターンＣ＞
本動作例では、上記のように、残り必要量ＲＷを算出した後、この残り必要量ＲＷを計量機２０の１バッチ目標量で除して、残り必要計量回数Ｎと回数余りＲとを算出し、記憶部６３に格納させるようにしている（ステップ３２８）。すなわち、上記した各動作例のように、端数処理せずに、回数余りＲ（上記した計量回数制御パターンＡの例では、０．５）を算出し、格納させるようにしている。
次いで、この回数余りＲに応じた余りバッチ目標量を算出し、記憶部６３に格納させる（ステップ３２９）。例えば、上記した１バッチ目標量を、２０００ｇとした場合を例にすれば、余りバッチ目標量は、１０００ｇとなる。
尚、この際、余りバッチ目標量に、安全率（安全係数、例えば、１．１〜１．３程度）を乗じるようにしてもよい。
【００７７】
次いで、この余りバッチ目標量に基づいて算出された各材料の目標設定値が、図５（ａ）に基づいて説明したステップ２０１と同様、最小計量可能値以下であるかを判別し（ステップ３３０）、その目標設定値が最小計量可能値以下であれば、余りバッチ目標量を、最低バッチ目標量に変更し、記憶部６３に格納させる（ステップ３３１）。
一方、上記目標設定値が最小計量可能値を超えていれば、所定の余りバッチ目標量を記憶部６３に格納させる。
次いで、上記のように算出された残り必要計量回数Ｎの計量を、設定された１バッチ目標量（上記例では、２０００ｇ）で、計量機２０に実行させるとともに、余りバッチ目標量（上記例では、１０００ｇ）で、１回の計量を計量機２０に実行させ、以降の計量機２０の計量動作を停止させる（ステップ３３２）。
【００７８】
以上のように、本動作例によれば、上記した計量回数制御パターンＡ及びパターンＢのように、残り必要計量回数の算出時に、端数処理を行わず、回数余りＲから余りバッチ目標量を算出するようにしているので、より効率的に成形終了時における残材を減少させることができる。
特に、上記した計量回数制御パターンＡと組み合わせた動作態様とすれば、成形終了時における残材を、より一層、効率的に減少させることができる。
【００７９】
尚、上記した各計量回数制御プログラムの動作例（パターンＡ，Ｂ，Ｃ）においては、チャージホッパー５０の材料センサー５２の検出レベル以下の材料待機量ＬＭを算出し、この材料待機量ＬＭを、計量機２０からチャージホッパー５０上流側までに待機している上流側待機量Ｍに加えて、待機量ＴＭを算出する例を示しているが、材料待機量ＬＭを加えずに、上流側待機量Ｍのみ、または、上流側待機量Ｍに検出レベル上部の材料ＵＭを加えたものを、待機量ＴＭとして把握するようにしてもよい。このような態様では、上記パターンＡ、パターンＢのように、残り必要計量回数Ｎを端数処理する際には、切り捨てるようにしてもよい。
また、上記した各計量回数制御プログラムの動作例（パターンＡ，Ｂ，Ｃ）においては、当該配合供給装置１の供給先としての成形機を、射出成形機９として説明したが、例えば、押出成形機等にも適用可能である。この場合には、残ショット数に代えて、残押出量等を入力または選択させるようにしてもよい。
【００８０】
次に、本実施形態に係る材料配合供給装置１で実行される配合供給能力変更プログラムの他の動作例を図９に基づいて説明する。
尚、定常運転移行検出、処理能力検出、及び計量能力検出の態様は、上記した配合供給能力変更パターンＡの動作例と同様であるので説明を省略する。
また、本動作例は、上記した配合供給能力変更パターンＡに代えて、上記した各計量回数制御プログラムの動作例（パターンＡ，Ｂ，Ｃ）とともに、当該配合供給装置１において実行可能である。
上記した配合供給能力変更パターンＡの動作例では、定常運転に移行した後の処理能力Ｘと計量能力Ｙとに基づいて、計量機２０において計量させる１バッチ目標量を、１度のみ変更して更新する態様としたが、本動作例では、段階的に１バッチ目標量を減少させ、計量能力Ｙを処理能力Ｘに所定基準まで近づける制御を実行する態様としている。
【００８１】
＜配合供給能力変更パターンＢ＞
すなわち、図９に示すように、まず、上記同様に、検出して格納した処理能力Ｘと計量能力Ｙとを比較し、処理能力Ｘに応じた目標計量能力を算出して、１バッチ目標量を算出する（ステップ２１０）。この際、本動作例では、処理能力Ｘに、所定の安全率（安全係数、１．１程度としてもよい）を乗じて目標計量能力を算出するようにしている。
例えば、上記同様に、定常運転移行後における処理能力Ｘが、１２０ｋｇ／ｈであり、計量能力Ｙが、３６０ｋｇ／ｈであった場合を例にすれば、計量能力Ｙを処理能力Ｘに一致させて、１２０ｋｇ／ｈとし、これに安全係数１．１を乗じて、１３２ｋｇ／ｈとし、この目標計量能力の上記計量能力Ｙに対する減少割合から１バッチ目標量（２２００ｇ）を算出するようにしている。
【００８２】
上記のように算出した１バッチ目標量から、上記同様にして各材料の目標設定値を算出し、最小計量可能値以下であるかを判別し（ステップ２１１）、その目標設定値が最小計量可能値以下であれば、変更前の１バッチ目標量を、その最小計量可能値に基づいて算出した最低バッチ目標量に変更する（ステップ２１２）。一方、上記目標設定値が最小計量可能値を超えていれば、変更前の１バッチ目標量を、所定の１バッチ目標量に変更する（ステップ２１３）。
ステップ２１２または２１３において、１バッチ目標量を更新した後、上記同様、処理能力Ｘが所定の閾値以上に増加すれば（ステップ２１４またはステップ２１６）、１バッチ目標量をリセットし（ステップ２１５）、初期準備運転に移行させる。
一方、上記目標設定値が最小計量可能値を超えている場合において、再度、検出された計量能力Ｙが上記目標計量能力に所定基準まで近づいていない場合（ステップ２１７）には、ステップ２１０に戻り、再度、上記同様にして、１バッチ目標量を算出する（ステップ２１０）。
【００８３】
つまり、１バッチ目標量を減少させて更新すれば、上述のように、実際の計量能力Ｙは、計量時間ｔ４が短くなるので大きくなり、１バッチ目標量更新後の次の計量動作時に検出される計量能力Ｙが、設定した目標計量能力よりも大きくなる。
そこで、本動作例では、上記１バッチ目標量は、更新前の計量能力Ｙを算出時の計量時間ｔ４（１分）と、目標計量能力（１３２ｋｇ／ｈ）とに基づいて、暫定値として算出し、１バッチ目標量更新後の次の計量動作時に検出される計量能力Ｙに基づいて、再度、１バッチ目標量を算出、更新し、以後、計量能力Ｙが上記目標計量能力に所定基準まで近づくまで、１バッチ目標量の更新を実行するようにしている。
【００８４】
例えば、上記のように、１バッチ目標量を、６０００ｇから２２００ｇに更新した場合において、次の計量動作時の計量時間ｔ４が、実際には、１分ではなく、４５秒であったとすれば、更新後の計量能力Ｙの実測値は、１７６ｋｇ／ｈとなる。この実測値の計量時間ｔ４（４５秒）と、目標計量能力（１３２ｋｇ／ｈ）とに基づいて、１バッチ目標量を再度、算出すれば、１６５０ｇとなり、１バッチ目標量を更新する。以下、同様にして、更新前の計量能力Ｙを算出時の計量時間ｔ４と目標計量能力とに基づいて、暫定値として１バッチ目標量を算出、更新し、更新後の次の計量能力Ｙ検出時における計量時間ｔ４と目標計量能力とに基づいて、１バッチ目標量を算出、更新するという手順を繰り返し、計量能力Ｙが、目標計量能力に所定基準まで近づくまで、１バッチ目標量を減少させて更新する工程を繰り返し行うようにしている（ステップ２１７、２１０）。すなわち、本動作例では、２回の計量動作が行われる毎に、１バッチ目標量の更新がなされる。
上記目標計量能力に所定基準まで近づいたか否かの判別は、例えば、目標計量能力に±数％（例えば、±５％）程度の閾値を設定しておき、更新された計量能力Ｙが、その閾値の範囲内にあれば、目標計量能力に所定基準まで近づいたと判別するようにしてもよい。
【００８５】
以上のように、本動作例では、計量能力Ｙが、処理能力Ｘを基準に算出された目標計量能力に所定基準まで近づくまで、１バッチ目標量を減少させて更新する工程を繰り返し行うようにしているので、緊急停止時等における配合済み材料（残材）を、より効率的に減少させることができる。つまり、射出成形機９の処理能力Ｘに、見合った能力で、かつ必要最小限の能力に計量能力Ｙを、減少化させることができ、残材を大幅に減少させることができる。
【００８６】
尚、上記のように、１バッチ目標量の更新を、計量能力Ｙが目標計量能力に所定基準まで近づくまで繰り返す態様に代えて、例えば、予め１バッチ目標量の更新回数Ｎを設定しておき、そのＮ回だけ更新するような態様としてもよい。
また、上記動作例では、初回更新時に、処理能力Ｘに安全率を乗じて目標計量能力を算出し、それに基づいて１バッチ目標量を算出する態様としているが、例えば、初回または複数回目までの更新は、上記した配合供給能力変更パターンＡと同様にして１バッチ目標量を算出し、２回目または複数回目以降の更新は、本動作例における１バッチ目標量の算出態様とするようにしてもよい。
【００８７】
また、上記した各配合供給能力変更プログラムの動作例（パターンＡ及びパターンＢ）では、自動検出した計量能力Ｙと処理能力Ｘとを比較して、その自動検出した計量能力Ｙを処理能力Ｘに見合った所定能力となるように所定態様で目標計量能力を算出し、その算出した目標計量能力から１バッチ目標量を算出して更新する態様としているが、このような態様に限られない。例えば、成形機の処理能力と計量機の１バッチ目標量とを対応させたテーブルを予め格納させておき、このテーブルに基づいて、１バッチ目標量を変更するようにしてもよい。この場合は、配合する材料の種類や計量する材料点数に応じて、複数種類のテーブルを用意しておくようにしてもよい。また、このようにテーブルを作成する際には、ショートフィード等が生じないように、安全率を大きく設定して１バッチ目標量と処理能力とを対応づけるようにしてもよい。
【００８８】
次に、本実施形態に係る材料配合供給装置１で実行される配合供給能力変更プログラムの更に他の動作例を図１０〜図１２に基づいて説明する。
尚、定常運転移行検出、及び処理能力検出の態様は、上記した各例と同様であるので説明を省略する。
また、本動作例は、上記した配合供給能力変更パターンＡ若しくはパターンＢに代えて、または加えて、上記した各計量回数制御プログラムの動作例（パターンＡ，Ｂ，Ｃ）とともに、当該配合供給装置１において実行可能である。
【００８９】
上記した配合供給能力変更パターンＡ及びパターンＢの動作例では、定常運転に移行した後の処理能力Ｘと計量能力Ｙとに基づいて、１バッチ目標量を減少させることで、当該配合供給装置１における配合供給能力を減少させる態様としているが、本動作例では、計量機２０及び一時貯留ホッパー４０における材料の待機態様有無の組み合わせから複数の待機モードの実行を可能とし、この待機モードを変更することで、当該配合供給装置１における配合供給能力を減少させる態様としている。
本動作例では、上記第１待機モードと、図１１に示す第２待機モードと、図１２に示す第３待機モードとの実行が可能とされており、まず、これら第２待機モード及び第３待機モードの動作例について、図１１及び図１２に基づいて説明する。
尚、第１待機モードについては、上記同様であるので説明を省略する。
【００９０】
＜第２待機モード＞
この第２待機モードでは、図１１に示すように、チャージホッパー５０の材料センサー５２からの材料要求信号が出力されるまでに、一時貯留ホッパー４０に１バッチ量分の材料を補給して待機（貯留保持）させ、かつ、一時貯留ホッパー４０の材料センサー４２からの材料要求信号が出力されるまでは、計量機２０に材料を計量待機させずに、材料センサー４２からの材料要求信号が出力された後に、計量を開始させるようにしている。
【００９１】
すなわち、チャージホッパー５０の材料センサー５２からの材料要求信号が出力されれば、上記した吸引ブロアー６を輸送時間ｔ１が経過するまで作動させて、一時貯留ホッパー４０に貯留された１バッチ量分の材料を、チャージホッパー５０に輸送する。一時貯留ホッパー４０の材料センサー４２から材料要求信号が出力されれば、計量機２０において計量工程を実行し、計量工程が終了すれば、混合ドラムにおいて混合工程を実行させ、一時貯留ホッパー４０に混合済みの材料を投入させ、一時貯留ホッパー４０において１バッチ量分の材料を待機させる。
このように、第２待機モードでは、計量工程と混合工程とが並行して実行されず、直列的に順次、実行され、また、混合工程が終了した後も、一時貯留ホッパー４０の材料センサー４２からの材料要求信号が出力されるまでは、計量を開始しないようにしている。
以下、同様にしてチャージホッパー５０の材料センサー５２からの材料要求信号が出力される毎に、材料の輸送、計量及び混合が直列的に実行される。
【００９２】
＜第３待機モード＞
この第３待機モードでは、図１２に示すように、チャージホッパー５０の材料センサー５２からの材料要求信号が出力されるまでは、計量機２０及び一時貯留ホッパー４０に材料を計量待機及び貯留保持させずに、材料センサー５２からの材料要求信号が出力された後に、計量を開始させるようにしている。
すなわち、チャージホッパー５０の材料センサー５２からの材料要求信号が出力されれば、計量機２０において計量工程を実行し、計量工程が終了すれば、混合ドラムにおいて混合工程を実行させ、混合済みの材料を一時貯留ホッパー４０に投入させる。これにより、一時貯留ホッパー４０の材料センサー４２が材料有を検出し、上記した吸引ブロアー６を輸送時間ｔ１が経過するまで作動させて、一時貯留ホッパー４０に貯留された１バッチ量分の材料を、チャージホッパー５０に輸送する。
このように、第３待機モードでは、上記第２待機モードと同様、計量工程と混合工程とが並行して実行されず、直列的に順次、実行され、さらに、計量機２０及び一時貯留ホッパー４０に概ね材料を待機（計量待機及び貯留保持）させずに空状態としている。
以下、同様にしてチャージホッパー５０の材料センサー５２からの材料要求信号が出力される毎に、材料の計量、混合及び輸送が直列的に実行される。
【００９３】
＜配合供給能力変更パターンＣ＞
上記にて説明した各モードにおける配合供給能力は、その待機態様から明らかなように、第１待機モードが最大、第３待機モードが最小であり、これら各モードの選択は、射出成形機９における上記処理能力Ｘと、各モードの待機態様に基づいて算出される基準時間条件等とに基づいてなされる。
まず、図１０（ｂ）に示すように、所定の初期準備運転を実行（ステップ１００）した後、定常運転への移行を検出すれば（ステップ１０１）、チャージホッパー５０の材料センサー５２の検出レベル以下の材料待機量ＬＭと、処理能力Ｘとから、検出レベル以下の材料の供給可能時間ｔ９を算出し、記憶部６３に格納させる（ステップ１２２）。すなわち、検出レベル以下の材料待機量ＬＭで、どれだけの成形時間（処理時間）が賄えるかを算出する。
【００９４】
また、１バッチ目標量と、処理能力Ｘとから、一時貯留ホッパー４０に貯留保持される材料の供給可能時間ｔ１０を算出し、記憶部６３に格納させる（ステップ１２３）。すなわち、一時貯留ホッパー４０に貯留保持される材料で、どれだけの成形時間（処理時間）が賄えるかを算出する。
また、計量時間ｔ４、混合時間ｔ５、及び各部における輸送時間、並びに各部における遅延時間から、上記計量工程、上記混合工程、及び上記輸送工程を直列的に実行する場合における配合供給可能時間ｔ１１を算出し、記憶部６３に格納させる（ステップ１２４）。すなわち、チャージホッパー５０の材料センサー５２から材料要求信号が出力された後に、計量された１バッチ量分の材料が、チャージホッパー５０に投入されるまでの時間を算出する。
尚、上記ステップ１２２、ステップ１２３、及びステップ１２４は、図１０（ａ）示した順に実行する必要はなく、並列的に実行するようにしてもよい。
【００９５】
上記のように各基準時間ｔ９，ｔ１０，ｔ１１が算出され、格納されれば、これらを比較して、各待機モードを変更する配合供給能力変更パターンＣを実行する。
すなわち、図１０（ｂ）に示すように、供給可能時間ｔ９と、配合供給可能時間ｔ１１とを比較して、配合供給可能時間ｔ１１が、供給可能時間ｔ９以上でなければ、つまり、配合供給可能時間ｔ１１が、供給可能時間ｔ９よりも小さければ（ステップ２２０）、初期設定時のモードである上記第１待機モードを上記第３待機モードに変更させる（ステップ２２１）。すなわち、第３待機モードにおける配合供給能力が、処理能力Ｘよりも大きいと判別し、第１待機モードを第３待機モードに変更し、以降の配合供給を、上記第３待機モードで実行する。
【００９６】
一方、配合供給可能時間ｔ１１が、供給可能時間ｔ９以上で（ステップ２２０）、かつ、供給可能時間ｔ９に供給可能時間ｔ１０を加えた時間以上であれば（ステップ２２２）、第２待機モード及び第３待機モードにおける配合供給能力よりも処理能力Ｘが大きいと判別し、初期設定時のモードである上記第１待機モードを継続する（ステップ２２３）。
また、配合供給可能時間ｔ１１が、供給可能時間ｔ９以上で（ステップ２２０）、かつ、供給可能時間ｔ９に供給可能時間ｔ１０を加えた時間よりも小さければ（ステップ２２２）、第２待機モードにおける配合供給能力が、処理能力Ｘよりも大きいと判別し、第１待機モードを第２待機モードに変更し（ステップ２２４）、以降の配合供給を、上記第２待機モードで実行する。
ステップ２２１または２２４において、上記のように待機モードを変更した後、上記同様、処理能力Ｘが所定の閾値以上に増加すれば（ステップ２２５）、各待機モードから第１待機モードに変更し（ステップ２２６）、初期準備運転に移行させる。
【００９７】
以上のように、本動作例では、検出した処理能力Ｘと、各待機モードの待機態様に基づいて算出される基準時間条件等とに基づいて、待機モード変更が可能なときには、待機モードを変更させて、当該配合供給装置１の配合供給能力を減少させるようにしているので、上記同様、緊急停止時における配合済み材料（残材）を減少させることができる。つまり、上記第２待機モードでは、一時貯留ホッパー４０の材料センサー４２からの材料要求信号が出力されるまでは、計量機２０に材料を計量待機させずに、材料センサー４２からの材料要求信号が出力された後に、計量を開始させるようにしているので、計量機２０において、材料が常時、計量待機されることがなく、それに応じた残材を減少させることができる。また、上記第３待機モードでは、計量機２０及び一時貯留ホッパー４０に概ね材料を待機（計量待機及び貯留保持）させずに空状態としているので、第２待機モードよりも更に残材を減少させることができる。
【００９８】
尚、本動作例において、第２待機モードまたは第３待機モードに変更されて配合供給が実行されている場合において、上記した各計量回数制御プログラムの動作例（パターンＡ，Ｂ，Ｃ）の実行がなされる際にも、上記同様にして、当該配合供給装置１の各部における材料の待機有無（待機状態）を判別し、上流側待機量Ｍを算出することで、本動作例の適用が可能である。
また、待機モードを変更して配合供給能力を減少させる本動作例に加えて、上記配合供給能力変更パターンＡ及びパターンＢのように、１バッチ目標量を変更して配合供給能力を減少させる態様を実行する場合は、配合供給可能時間ｔ１１と１バッチ目標量とから直列運転時における配合供給能力を算出し、この配合供給能力を、上記計量能力に代えて適用するようにしてもよい。例えば、待機モードの変更が可能か否かを判別し、待機モードを変更した後、変更後の待機モードが、上記第１待機モードであれば、上記同様、計量能力に基づいて、１バッチ目標量を減少させる態様とする一方、変更後の待機モードが、上記第２待機モードまたは第３待機モードであれば、上記直列運転時における配合供給能力に基づいて、１バッチ目標量を減少させる態様としてもよい。
このように、待機モード変更による配合供給能力減少の態様と１バッチ目標量変更による配合供給能力減少の態様とを組み合わせることで、より効率的に残材を減少化させることができる。
【００９９】
また、本動作例では、各待機モードにおける配合供給能力が処理能力Ｘ未満とならないように比較するための基準時間条件を算出し、それに基づいて各待機モードを変更する態様としているが、例えば、各待機モードにおける配合供給能力を安全な範囲で大まかに算出して予め格納させておき、定常運転移行後に処理能力と比較して、各待機モードの変更制御を行うようにしてもよい。
さらに、本動作例では、上記第１待機モード、上記第２待機モード及び上記第３待機モードの３つの待機モードの実行を可能とし、各待機モードを変更する態様としているが、上記第１待機モード及び上記第２待機モードのみを実行可能とし、上記第１待機モードを上記第２待機モードに変更することで、配合供給能力を減少させる態様としてもよい。
さらにまた、本実施形態では、混合ドラム３０には、混合時以外は材料を待機させないようにしているが、混合ドラムにも材料を待機させる、または待機させないモードを実行可能として、上記各待機モードに加え、これら各待機モードから変更可能な態様としてもよい。
【０１００】
また、本実施形態における上記基本動作例では、一時貯留ホッパー４０に貯留保持させた１バッチ量分の材料の全量を、チャージホッパー５０に向けて一度の材料要求信号により輸送させる態様としているが、複数回に分けて間欠的にチャージホッパー５０に向けて輸送させる態様としてもよい。
さらに、チャージホッパー５０の前段に、乾燥装置または加熱装置等を設置し、チャージホッパー５０に配合済みの材料を供給する前に、該乾燥装置または加熱装置において配合済みの材料を乾燥または加熱させる態様としてもよい。この場合には、これらの部位における待機量を考慮して、上記した各計量回数制御パターンＡ，Ｂ，Ｃを実行するようにすればよい。
【０１０１】
次に、本実施形態に係る配合供給装置の変形例について図１３及び図１４に基づいて説明する。
尚、上記した配合供給装置１と同様の構成については、同一符号を付して、その説明を省略、或いは簡略に説明する。
【０１０２】
図１３（ａ）は、第１変形例に係る配合供給装置１Ａを示し、この配合供給装置１Ａでは、計量機２０と、一時貯留ホッパー４０との間に、混合ドラムを設置せず、これら計量機２０と一時貯留ホッパー４０とを上下に隣接させている。また、混合手段としての混合ドラム３０Ａを、チャージホッパー５０Ａの上部に設置し、この混合ドラム３０Ａに、チャージホッパー５０Ａの捕集器を兼用させるようにしている。
このような構成とされた配合供給装置１Ａにおいても、上記基本動作例と略同様の動作の実行が可能であり、また、上記各計量回数制御パターンＡ，Ｂ，Ｃ、並びに配合供給能力変更パターンＡ及び配合供給能力変更パターンＢの実行が可能である。
また、上記配合供給能力変更パターンＣを実行する場合は、上記供給可能時間ｔ１０に、一時貯留ホッパー４０から混合ドラム３０Ａへの輸送時間及び混合ドラム３０Ａにおける混合時間並びに各部における遅延時間を加えた時間を、供給可能時間ｔ１０とすればよい。
【０１０３】
図１３（ｂ）は、第２変形例に係る配合供給装置１Ｂを示し、この配合供給装置１Ｂでは、上記第１変形例に係る配合供給装置１Ａとは、混合手段の構成が異なるのみで、他の構成は同様である。
すなわち、本変形例に係る配合供給装置１Ｂは、上述のような混合ドラムに代えて、気流混合捕集器３０Ｂをチャージホッパー５０Ｂの上部に設置している。
この気流混合捕集器３０Ｂは、詳細な説明は省略するが、上部の流動ホッパーと、流動ホッパーにおいて流動させて混合した材料を一時的に貯留する投入管と、この投入管と射出成形機９の材料投入口９ａとの間に設けられた開閉弁とを備えている。この気流混合捕集器３０Ｂでは、吸引輸送された材料を、流動ホッパー内において微粉等を除去しながら、混合し、投入管に投入させ、開閉弁を開閉させることで、チャージホッパー５０に混合済みの材料を投入させるようにしている。このような構成によれば、輸送工程と混合工程とを関連させた工程として実行でき、上記した各例と比べて、これらの工程の時間を短縮化できる。
【０１０４】
図１４は、第３変形例に係る配合供給装置１Ｃを示し、この配合供給装置１Ｃでは、一時貯留ホッパーを設けずに射出成形機９の上部に直接的に設置した態様（直付け型）としている点で上記した各例とは大きく異なる。すなわち、混合ドラム３０の下方に、チャージホッパー５０Ｃを設置している。このような構成によれば、上記した成形機側への材料輸送用の輸送手段、及び上記輸送工程が不要となり、上記した各例と比べて、装置構成がコンパクトとなるとともに、配合供給工程全体の時間を短縮化できる。
このような構成とされた配合供給装置１Ｃにおいても、上記基本動作例と略同様の動作の実行が可能であり、また、上記配合供給能力変更パターンＡ及び配合供給能力変更パターンＢの実行が可能である。
また、上記配合供給能力変更パターンＣを実行する場合は、上記第３待機モードの実行はできないが、上記第１待機モードを第２待機モードに変更させて、配合供給能力を減少させることができる。
さらに、上記した各計量回数制御パターンＡ，Ｂ，Ｃを実行する場合は、上記のように上流側待機量Ｍを算出する際に、一時貯留ホッパーの貯留分を加える必要がない以外は、上記と略同様にして実行が可能である。
【符号の説明】
【０１０５】
１，１Ａ，１Ｂ，１Ｃ              材料配合供給装置
９                                射出成形機（成形機）
９ａ                              材料投入口
１１Ａ，１１Ｂ，１１Ｃ，１１Ｄ    材料供給機
２０                              計量機（配合供給能力検出手段）
２３                              排出ダンパー（処理能力検出手段）
３０，３０Ａ                      混合ドラム（混合手段）
３０Ｂ                            気流混合捕集器（混合手段）
４２                              材料センサー（処理能力検出手段）
５０，５０Ａ，５０Ｂ，５０Ｃ      チャージホッパー（貯留部）
５２                              材料センサー（処理能力検出手段）
６１                              ＣＰＵ（待機量検出手段、計量回数制御手段、配合供給能力制御手段、処理能力検出手段、配合供給能力検出手段）
６２                              操作パネル（操作部）
６２ａ                            成形終了予定スイッチ（信号生成部）
Ｍ                                計量機からチャージホッパーの上流側までの材料の待機量
ＵＭ                              材料センサーの検出レベル上部の材料（成形終了予定信号から材料センサーの材料要求信号までの間に成形機において処理された量）
ＬＭ                              材料センサーの検出レベル以下の材料待機量
ＴＭ                              待機量
Ｎ                                残り必要計量回数
Ｓ１                              残ショット数
Ｗ                                必要量
ＲＷ                              残り必要量
Ｘ                                処理能力
Ｙ                                計量能力（配合供給能力）
【図１】
0005486862.tif 000002
【図２】
0005486862.tif 000003
【図３】
0005486862.tif 000004
【図４】
0005486862.tif 000005
【図５】
0005486862.tif 000006
【図６】
0005486862.tif 000007
【図７】
0005486862.tif 000008
【図８】
0005486862.tif 000009
【図９】
0005486862.tif 000010
【図１０】
0005486862.tif 000011
【図１１】
0005486862.tif 000012
【図１２】
0005486862.tif 000013
【図１３】
0005486862.tif 000014
【図１４】
0005486862.tif 000015